(57)【要約】【課題】被着体に粘着剤が残る現象を抑えることができる粘着シート、この粘着シートを作製するための粘着シート用原紙、及びこの粘着シート用原紙を用いた画像記録済み粘着シートを得る方法を提供する。【解決手段】基材の一方の面側に、粒子及び結合剤を含む粘着剤受理層を有する粘着シート用原紙、該粘着シート用原紙の粘着剤受理層上に被着体に対して再剥離可能な粘着剤層を設けてなる粘着シート、及び前記粘着シート用原紙の粘着剤受理層とは反対側の面に画像を記録した後、前記粘着剤受理層上に粘着剤層を設けて画像記録済み粘着シートを得る方法である。【選択図】なし【特許請求の範囲】
【請求項１】
基材の一方の面側に、粒子及び結合剤を含む粘着剤受理層を有する粘着シート用原紙。
【請求項２】
（Ａ）前記粒子の比表面積が３００ｍ２／ｇ以上、及び（Ｂ）前記粒子の吸油量が１００ｍｌ／ｇ以上のうちの少なくとも一方を満たす請求項１に記載の粘着シート用原紙。
【請求項３】
前記結合剤が、水溶性樹脂及び水性樹脂エマルジョンを含む請求項１又は２に記載の粘着シート用原紙。
【請求項４】
請求項１〜３のいずれか１項に記載の粘着シート用原紙の粘着剤受理層上に被着体に対して再剥離可能な粘着剤層を設けてなる粘着シート。
【請求項５】
請求項１〜３のいずれか１項に記載の粘着シート用原紙の粘着剤受理層とは反対側の面に画像を記録した後、前記粘着剤受理層上に粘着剤層を設けて画像記録済み粘着シートを得る方法。
【発明の詳細な説明】
【技術分野】
【０００１】
本発明は、剥離可能な粘着剤領域を基材の一方の面側に有する粘着シート、該粘着シートを作成するための粘着シート用原紙、及び該粘着シート用原紙を用いて画像記録済み粘着シートを得る方法に関する。
【背景技術】
【０００２】
一般的に、粘着剤（例えば、糊）を付着させた粘着剤テープ（例えば、糊テープ）を転写ローラに巻き付けて収納した粘着剤転写具は、人手により転写ローラで粘着剤テープを用紙に押し付けながら粘着剤を用紙上に転写できるので文房具の一部として市販されているが、この粘着剤転写具を用いて人手によることなく粘着剤を用紙上に自動的に転写できる機能を有する装置やプリンタが開発されている（例えば、特許文献１〜２参照）。
【０００３】
特許文献１においては、付箋作成装置が提案されている。この付箋作成装置は、ロール状の用紙から繰り出された用紙（基材）へ転写型再剥離性粘着剤を転写させることにより付箋を作成している。
【０００４】
特許文献２においては、ロール状に巻回した記録紙上にメモとして残しておきたい情報を印刷した後に、印刷済みの記録紙上に粘着剤テープに付着させた粘着剤を自動的に転写して付箋紙などを作成する粘着剤付加ユニットを有するプリンタが提案されている。
【０００５】
一方、接着剤層に添加される、微粒子充填剤、粘着付与剤、滑剤などの機能剤は接着性を低下させる原因となることがあり、特許文献３においては、接着剤層に機能剤を添加するのではなく、機能剤を含む機能層が接着剤層の下に別途設けられた接着用シートが提案されている。
【先行技術文献】
【特許文献】
【０００６】
【特許文献１】特開２００８−８０５５８号公報
【特許文献２】特開２０１１−２３５５９５号公報
【特許文献３】特開１９９９−１４８０５６号公報
【発明の概要】
【発明が解決しようとする課題】
【０００７】
特許文献１、２に記載のように、粘着剤の転写によって作製された付箋では、紙と粘着剤との相性によっては、紙などの対象物（被着体）へ貼って剥がした後、被着体に粘着剤が残る現象（糊残り）が発生することがある。これは粘着剤と基材の親和性が低く、より親和性が高い被着体に優先的に密着することによる。また、特許文献３に記載の接着用シートは、接着剤層に機能剤を添加することによる接着性の低下に主眼が置かれたものであり、上記のような糊残りの現象を解決することについては何ら記載されていない。
【０００８】
本発明は、上記従来の問題点に鑑みなされたものであり、その目的は、被着体に粘着剤が残る現象を抑えることができる粘着シート、この粘着シートを作製するための粘着シート用原紙、及びこの粘着シート用原紙を用いた画像記録済み粘着シートを得る方法を提供することにある。
【課題を解決するための手段】
【０００９】
上記課題を解決する本発明は以下の通りである。
（１）基材の一方の面側に、粒子及び結合剤を含む粘着剤受理層を有する粘着シート用原紙。
【００１０】
（２）（Ａ）前記粒子の比表面積が３００ｍ２／ｇ以上、及び（Ｂ）前記粒子の吸油量が１００ｍｌ／ｇ以上のうちの少なくとも一方を満たす前記（１）に記載の粘着シート用原紙。
【００１１】
（３）前記結合剤が、水溶性樹脂及び水性樹脂エマルジョンを含む前記（１）又は（２）に記載の粘着シート用原紙。
【００１２】
（４）前記（１）〜（３）のいずれかに記載の粘着シート用原紙の粘着剤受理層上に粘着剤層を設けてなる粘着シート。
【００１３】
（５）前記（１）〜（３）のいずれかに記載の粘着シート用原紙の粘着剤受理層とは反対側の面に画像を記録した後、前記粘着剤受理層上に粘着剤層を設けて画像記録済み粘着シートを得る方法。
【発明の効果】
【００１４】
本発明によれば、被着体に粘着剤が残る現象を抑えることができる粘着シート、この粘着シートを作製するための粘着シート用原紙、及びこの粘着シート用原紙を用いた画像記録済み粘着シートを得る方法を提供することができる。
【図面の簡単な説明】
【００１５】
【図１】本発明の方法を実施し得る粘着剤転写装置の全体構成を示した構成図である。
【発明を実施するための形態】
【００１６】
＜粘着シート用原紙＞
本発明の粘着シート用原紙は、基材の一方の面側に、粒子及び結合剤を含む粘着剤受理層を有することを特徴としている。
本発明の粘着シート用原紙は、基材の一方の面側に、粘着剤との親和性が高い粘着剤受理層が存在することで、当該粘着剤受理層上に粘着剤層を設けたとき、粘着剤受理層と粘着剤層とが強固に密着し、粘着剤層が剥離するのを防止することができる。ひいては、本発明の粘着シート用原紙を用い、粘着剤受理層上に粘着剤層を設けて粘着シートを作製したとき、粘着剤層の剥離が抑制され、紙などの対象物(被着体)へ貼ってはがした後、被着体に粘着剤が残る現象（糊残り）を防止することができる。
以下に、本発明の粘着シート用原紙の基材及び粘着剤受理層について説明する。
【００１７】
［粘着剤受理層］
本発明において、粘着剤受理層は粒子及び結合剤を少なくとも含み、必要に応じて他の成分を含む。粘着剤受理層は、粒子を含むことで基材表面よりも表面積が大きくなり、ひいては粘着剤との密着面積が大きくなることから物理的接着力が大きくなると考えられる。さらには、粒子間の空隙に粘着剤が侵入することによりアンカー効果が発現するため、機械的接着力が大きくなると考えられる。
以下に、各成分について詳述する。
【００１８】
（粒子）
粒子としては、体積基準で測定した平均粒子径が０．１〜３０μｍの微粒子を用いることが好ましく、無機粒子であることが好ましい。
【００１９】
本発明において、粒子は、（Ａ）前記粒子の比表面積が３００ｍ２／ｇ以上、及び（Ｂ）前記粒子の吸油量が１００ｍｌ／ｇ以上のうちの少なくとも一方を満たすことが好ましい。
【００２０】
粘着剤受理層表面の表面積が大きいほど物理的接着力が大きくなり粘着剤との密着性は向上する。従って、粘着剤受理層がそのような状態となるように、上記（Ａ）を満たすこと、すなわち粒子の比表面積が３００ｍ２／ｇ以上の粒子を用いることが好ましい。当該比表面積はより好ましくは５００ｍ２／ｇ以上である。
また、粘着剤受理層表面に微細な凹凸が多いほど機械的接着力が大きくなり粘着剤との密着性は向上する。従って、粘着剤受理層がそのような状態となるように、上記（Ｂ）を満たすこと、すなわち吸油量が１００ｍｌ／１００ｇ以上である多孔性粒子を用いることが好ましい。当該多孔性粒子の吸油量は１１０〜３００ｍｌ／１００ｇであることがより好ましい。
また、上記（Ａ）及び上記（Ｂ）の双方ともに満たすと、物理的接着力及び機械的接着力が同時に大きくなるため、粘着剤受理層と粘着剤との密着性をより強化することができ好ましい。
【００２１】
無機粒子としては、タルク、珪藻土、炭酸カルシウム、炭酸バリウム、硫酸バリウム、アルミナホワイト、シリカ、カオリン、マイカ、酸性白土、活性白土、ベントナイト、酸化チタン等が挙げられ、中でも、シリカ、酸化チタン、アルミナホワイトが好ましい。
【００２２】
本発明において、粘着剤受理層における粒子の含有量は、粒子の比表面積や多孔性の有無により変動するため一概には言えないが、粘着剤受理層の全固形分中、２０〜８０質量％とすることが好ましく、４０〜６０質量％とすることがより好ましい。
【００２３】
（結合剤）
本発明に係る粘着剤受理層において、前記粒子は結合剤により固定される。当該結合剤としては、例えば、酸化デンプン、エーテル化デンプン、リン酸エステル化デンプンなどのデンプン誘導体、カルボキシメチルセルロース、ヒドロキシエチルセルロースなどのセルロース誘導体、カゼイン、ゼラチン、大豆蛋白などのタンパク質類、ポリビニルアルコール、ポリビニルピロリドン、無水マレイン酸樹脂などの水溶性樹脂、スチレン−ブタジエン共重合体、メチルメタクリレート−ブタジエン共重合体、塩化ビニル−酢酸ビニル共重合体などの共役ジエン系樹脂、アクリル酸エステル及びメタクリル酸エステルの重合体またはこれらとスチレンなどとの共重合体などのアクリル系樹脂、エチレン−酢酸ビニル共重合体などのビニル系樹脂、あるいはこれらの各種樹脂のカルボキシ基などの官能基含有単量体による官能基変性樹脂、メラミン樹脂、尿素樹脂、ポリウレタン樹脂、不飽和ポリエステル樹脂、ポリビニルブチラール樹脂、アルキッド樹脂などの水性樹脂エマルジョンが挙げられ、中でも、ポリビニルアルコールなどの水溶性樹脂、アクリル系樹脂、ポリウレタン樹脂などの水性樹脂エマルジョンが好ましい。また、結合剤は、１種単独で使用しても、２種以上を併用してもよい。
なお、水溶性樹脂のみを用いると、十分な被膜強度は得られるものの、柔軟性が不足し、用紙が曲げられたときに皮膜が破壊されることがある。そこで、柔軟性を付与するため水性樹脂エマルジョンを併用することが好ましい。つまり、水溶性樹脂と水性樹脂エマルジョンとを併用することで、十分な被膜強度を維持しつつ柔軟性を確保することができる。この場合、水溶性樹脂（Ｘ）及び水性樹脂エマルジョン（Ｙ）の配合比率（Ｘ：Ｙ）は、質量比で２：８〜８：２とすることが好ましく、５：５〜７：３とすることがより好ましい。
【００２４】
粘着剤受理層と基材との密着力が小さいと、粘着剤受理層と基材との界面で剥離しやすくなる。そこで、基材と粘着剤受理層との密着力が大きくなるように基材との親和性が高い結合剤を選択することが好ましい。
【００２５】
本発明において、粘着剤受理層における結合剤は、粘着剤受理層の全固形分中の含有量を、１０〜５０質量％とすることが好ましく、２０〜４０質量％とすることがより好ましい。
本発明において、粘着剤受理層中の粒子（ｘ）と結合剤（ｙ）の質量比率（ｘ／ｙ）は、０．５〜３．０とすることが好ましく、１．０〜２．５とすることがより好ましい。
【００２６】
（他の成分）
他の成分としては、分散剤、増粘剤、消泡剤、抑泡剤、紫外線吸収剤、防腐剤、酸化防止剤、耐水化剤などが挙げられる。
【００２７】
粘着剤受理層は、上記各成分を水などの溶媒に分散させた塗工液を調製し、この塗工液を基材上に塗工して乾燥することで得ることができる。塗工には、バーコーター、スピンコーター、カーテンコーター、ブレードコーター、ロールコーター、エアーナイフコーター、グラビアコーター、ダイコーターなどを用いることができる。
【００２８】
粘着剤受理層の乾燥後塗工量としては、粘着剤層との密着力を確保する観点から、３〜３０ｇ／ｍ２とすることが好ましく、５〜２０ｇ／ｍ２とすることがより好ましい。
【００２９】
粘着剤受理層は、基材の全面に形成してもよいし、粘着剤層が形成される領域と同じ領域のみとしてもよい。
【００３０】
［基材］
基材としては、木材パルプ主体の紙や合成繊維を主体にした不織布のような紙、セロハン、ポリエチレン、ポリプロピレン、軟質ポリ塩化ビニル、硬質ポリ塩化ビニル、ポリエステル等のプラスチックフィルム類などを使用することができる。
【００３１】
基材の粘着剤受理層とは反対側の基材面は画像記録層とすることもできる。画像記録層については後述する。
【００３２】
基材の坪量としては特に制限はなく適宜設定することができるが、例えば、４２〜１８０ｇ／ｍ２とすることができる。
【００３３】
＜粘着シート＞
本発明の粘着シートは、既述の本発明の粘着シート用原紙の粘着剤受理層上に粘着剤層を設けてなることを特徴としている。本発明の粘着シートの層構成は、基材上に粘着剤受理層及び粘着剤層がこの順に設けられた構成であり、粘着剤受理層とは反対側の基材面には画像記録層を形成することもできる。本発明の粘着シート用原紙については既に説明したので、以下においては粘着剤層、画像記録層について説明する。
【００３４】
［粘着剤層］
本発明の粘着シートにおいては、粘着剤層としては、被着体に対して再剥離可能な機能を有する粘着剤層を対象としている。このような粘着剤層を構成する粘着剤としては、アクリル系やウレタン系の粘着剤が挙げられる。
アクリル系の粘着剤としては、（メタ）アクリル酸エステルの重合体又は共重合体が挙げられ、例えば、モノマーとして、メチル（メタ）アクリレート、エチル（メタ）アクリレート、ｎ−プロピル（メタ）アクリレート、ｎ−ブチル（メタ）アクリレート、イソブチル（メタ）アクリレート、ｎ−ヘキシル（メタ）アクリレート、２−エチルヘキシル（メタ）アクリレート、ｎ−オクチル（メタ）アクリレート、イソノニル（メタ）アクリレート、ｎ−デシル（メタ）アクリレート、ラウリル（メタ）アクリレート等の（メタ）アクリル酸アルキルエステルが挙げられる。
ウレタン系の粘着剤としては、ポリオールと多官能イソシアネートとを反応させて得られる重合体が挙げられ、例えば、ポリオールとしては、分子中に２個以上の水酸基を有するもので、例えばポリエチレングリコール、ポリプロピレングリコール、アクリルポリオール、ポリエステルポリオール、ポリエーテルポリオール等が挙げられる。イソシアネートとしては、分子中に２個以上のイソシアネート基を有する多価イソシアネート、４，４−ジフェニルメタンジイソシアネート等の芳香族イソシアネート、ヘキサメチレンジイソシアネート、イソホロンジイソシアネートが挙げられる。
【００３５】
本発明の粘着シートは、粘着剤層は、粘着シート用原紙の粘着剤受理層上に設けられるため、既述の通り、粘着剤層と粘着剤受理層との密着力が大きく、紙などの対象物(被着体)へ貼ってはがした後、被着体に粘着剤が残る現象（糊残り）を防止することができる。
【００３６】
［画像記録層］
本発明の粘着シートは、上記の通り、粘着剤受理層とは反対側の基材面に画像記録層を形成することができる。画像記録層としては、画像記録手段に適した画像記録層で構成し、例えば、感熱方式の場合、画像記録層は感熱発色層であり、インクジェット方式の場合、画像記録層はインク受理層である。感熱発色層、インク受理層はいずれも公知のものを採用することができる。
一方、基材として普通紙などを使用する場合で、電子写真方式による画像形成をする場合は、粘着剤受理層とは反対側の基材面はそのままの状態で画像記録可能な面となる。
【００３７】
＜画像記録済み粘着シートを得る方法＞
本発明の画像記録済み粘着シートを得る方法は、既述の本発明の粘着シート用原紙の粘着剤受理層とは反対側の面に画像を記録した後、前記粘着剤受理層上に粘着剤層を設けることを特徴としている。
本発明の方法は、既述の本発明の粘着シート用原紙を用いることから、画像記録済みのものであって、紙などの対象物(被着体)へ貼ってはがした後、被着体に粘着剤が残る現象（糊残り）を防止することができる粘着シートが得られる。
【００３８】
本発明の方法においては、まず、粘着シート用原紙の粘着剤受理層とは反対側の面に画像を記録するのであるが、画像を記録するのは既述の画像記録層の面上である。従って、画像記録手段としては、画像記録層に対応する画像記録手段を採用することができる。例えば、感熱発色層であれば感熱記録方式を、インク受理層であればインクジェット記録方式を採用すればよい。
【００３９】
本発明の方法は、既述の本発明の粘着シート用原紙の粘着剤受理層とは反対側の面に画像を記録した後、前記粘着剤受理層上に粘着剤層を設けるのであり、画像記録後、粘着剤層を設けるまでの時間についても制限はないが、画像記録手段と粘着剤転写手段とを有する装置を用いれば、本発明の方法を一連の流れで実施することができる。そのような装置を図１を参照して説明する。
【００４０】
図１は粘着剤転写装置の全体構成を示している。図１に示す如く、粘着剤転写装置１０は、小型軽量で消費電力が小さく、且つ、メモなどの印刷情報を粘着シート用原紙Ｐの粘着剤受理層とは反対側の面（以下、「画像記録面」と呼ぶ。）上に印刷（記録）した後に、粘着剤（例えば、糊）を剥離可能に付着させた粘着剤テープ（例えば、糊テープ）５４を転写ローラ５５に巻き付けて収納した粘着剤転写具５０を用いて、粘着剤テープ５４に付着させた粘着剤を粘着シート用原紙Ｐの粘着剤受理層上に自動的に転写して付箋紙などを作製できるように構成されている。
【００４１】
また、粘着剤転写装置１０は、文房具又は事務用品の一種として例えばオフィス内で各ユーザの机上に載置可能に構成されている。
【００４２】
粘着剤転写装置１０では、外装を形成する筐体１１が前筐体１１Ａと後筐体１１Ｂとを前後で蓋合わせして開閉可能な箱体として形成されている。この際、前筐体１１Ａに対して後筐体１１Ｂを開くことにより、ロール状に巻回した粘着シート用原紙（以下、ロール紙と記す）Ｐや粘着剤転写具５０が交換可能になっている。なお、図１においては、ロール状の粘着シート用原紙Ｐは粘着剤受理層が内側となるように巻回されている。
【００４３】
また、筐体１１内の下方に形成したロール紙装填部１１ｓには、未印刷の粘着シート用原紙Ｐが時計方向に回転自在に装填されている。尚、本発明では、粘着シート用原紙としてロール紙Ｐを用いた場合について以下説明するが、所定の長さに予め切断された粘着シート用原紙を不図示の給紙トレイ上に積載して用いることも可能である。
【００４４】
また、筐体１１内でロール紙装填部１１ｓよりも用紙搬送方向の下流には、光反射型の用紙有無検出センサ１２が設置されており、この用紙有無検出センサ１２でロール紙Ｐがロール紙装填部１１ｓに装填されているか否かを制御手段８０を介して検出している。
【００４５】
また、筐体１１内で用紙有無検出センサ１２よりも用紙搬送方向の下流には、パソコンＰＣなどを介して制御手段８０に入力された印刷情報を未印刷のロール紙Ｐの一方の面（画像記録面）上に印刷する印刷手段２０が設置されている。
【００４６】
上記した印刷手段２０では、感熱紙を用いたロール紙Ｐの用紙搬送方向と直交する用紙幅方向に沿って長尺に形成されたサーマルヘッド２１が、このロール紙Ｐの一方の面（画像記録面）と対向する側に設置されている。
【００４７】
また、サーマルヘッド２１と対向して印刷用プラテンローラ２２が第１パルスモータ２３の駆動力により不図示の第１減速ギア列を介して時計方向に所定の用紙搬送速度（例えば、３０ｍｍ／ｓｅｃ）で回転自在に設けられている。
【００４８】
この印刷用プラテンローラ２２は、ロール紙Ｐの幅方向に沿って長尺に形成されており、且つ、ロール紙Ｐの他方の面（粘着剤受理層側の面）と対向する側に設置されている。
【００４９】
そして、筐体１１内のロール紙装填部１１ｓに装填された未印刷のロール紙Ｐをサーマルヘッド２１と印刷用プラテンローラ２２との間で挟持しながら、制御手段８０を介してサーマルヘッド２１に入力された印刷情報を感熱印刷して用紙搬送方向の下流側に向かって搬送している。
【００５０】
この際、サーマルヘッド２１と印刷用プラテンローラ２２は、ロール紙Ｐに印刷情報を印刷する機能の他に、ロール紙Ｐを用紙搬送方向に沿って下流側に搬送する用紙搬送手段として機能している。
【００５１】
また、筐体１１内で印刷手段２０よりも用紙搬送方向の下流には、印刷済みのロール紙Ｐを所望の長さに切断する切断手段３０が設置されている。
【００５２】
上記した切断手段３０では、固定カッター３１と可動カッター３２とがロール紙Ｐを挟んで互に対向して設けられている。この際、可動カッター３２は、第２パルスモータ３３の駆動力により不図示の第２減速ギア列を介して固定カッター３１側に向かって移動可能に設置されている。また、ロール紙Ｐの切断を検出する光反射型のカッターＨＰ検出センサ３４が固定カッター３１及び可動カッター３２よりも下流に設置されている。
【００５３】
また、筐体１１内で切断手段３０よりも用紙搬送方向の下流側には、粘着剤転写手段４０が設置されている。
【００５４】
上記した粘着剤転写手段４０は、粘着剤転写用プラテンローラ４１と、この粘着剤転写用プラテンローラ４１に接離する転写ローラ５５を有して粘着剤テープ５４を転写ローラ５５に巻き付けて収納した粘着剤転写具５０と、この粘着剤転写具５０を着脱自在に搭載して粘着剤転写具５０の転写ローラ５５を粘着剤転写用プラテンローラ４１に対して接離するように移動させる転写具移動手段６０とから構成されている。
【００５５】
まず、上記した粘着剤転写手段４０のうちで粘着剤転写用プラテンローラ４１は、第３パルスモータ４２の駆動力により不図示の第３減速ギア列を介して反時計方向に回転自在に設けられている。
【００５６】
この粘着剤転写用プラテンローラ４１も、印刷用プラテンローラ２２と同様にロール紙Ｐの幅方向に沿って長尺に形成されているが、印刷用プラテンローラ２２とは異なってロール紙Ｐの一方の面（画像記録面）と対向する側に設置されている。
【００５７】
この際、粘着剤転写用プラテンローラ４１は、印刷用プラテンローラ２２と等速で回転し、後述するように、粘着剤転写具５０の転写ローラ５５が圧接したときに印刷済みのロール紙Ｐと粘着剤テープ５４とを下流側に向けて搬送する機能を有している。
【００５８】
また、カセットケース５１内に回転自在に設けた供給リール５２と巻取リール５３とに粘着剤（図示せず）を付着させた粘着剤テープ５４が巻回して収納されている。
【００５９】
また、カセットケース５１の長手方向の先端部には先端開口部５１ａが開口されて、この先端開口部５１ａから転写ローラ５５が露出している。
【００６０】
そして、カセットケース５１内の供給リール５２と巻取リール５３との間に巻回した粘着剤テープ５４が転写ローラ５５に巻き付けられており、且つ、転写ローラ５５は印刷手段２０により印刷された印刷済みのロール紙Ｐ及び粘着剤テープ５４を介して粘着剤転写用プラテンローラ４１と対向するように配置されている。
【００６１】
この際、粘着剤テープ５４は、略透明なフィルムの一方の面に、粘着剤として接着能力が比較的弱く弱粘着性を有する粘着剤（例えば、糊）が剥離可能に付着されて、このフィルムの一方の面側が印刷済みのロール紙Ｐの裏面と対向し、且つ、粘着剤が付着されていないフィルムの他方の面側が転写ローラ５５に巻き付いている。
【００６２】
そして、駆動源によって回転駆動する粘着剤転写用プラテンローラ４１と転写ローラ５５との間に印刷済みのロール紙Ｐ及び粘着剤テープ５４を挟み込んで、転写ローラ５５を粘着剤転写用プラテンローラ４１に押し当てると、転写ローラ５５の回転に伴って供給リール５２から引き出された粘着剤テープ５４が転写ローラ５５を経由して巻取リール５３に自動的に巻き取られるようになっている。
【００６３】
上記により、一方の面側に粘着剤（糊）を付着させた粘着剤テープ（糊テープ）５４を他方の面側から転写ローラ５５で押圧しながら粘着剤を印刷済みのロール紙Ｐ上に自動的に転写し、且つ、この印刷済みのロール紙Ｐを所望の長さに切断して、付箋紙Ｐｎなどを作製することができる。
【００６４】
尚、印刷手段２０に印刷情報を与えずにロール紙Ｐを挟持搬送して、印刷していないロール紙Ｐ上に粘着剤テープ５４に付着した粘着剤を自動的に転写して、印刷なしの付箋紙Ｐｎを作製することも可能である。
【実施例】
【００６５】
以下に、実施例により本発明をさらに具体的に説明するが、本発明は以下の実施例に限定されるものではない。
【００６６】
［実施例１］
感熱紙（日本製紙（株）製、TP50KS-ST）の感熱発色層の反対側に、以下のようにして粘着剤受理層を形成した。
表１に示す各成分を同表に示した組成（質量％）で超音波分散機を用いて分散した。次に塗工液をバーコーターで塗工量１２ｇ／ｍ２になるように塗工し、乾燥させることで粘着シート用原紙を得た。
【００６７】
［実施例２〜８］
各実施例において、無機粒子を表１に示す無機粒子に変更したこと以外は実施例１と同様にして粘着シート用原紙を得た。
【００６８】
［比較例１］
実施例１において、粘着剤受理層を設けず、感熱紙をそのまま用い粘着シート用原紙とした。
【００６９】
［比較例２］
無機粒子を添加せずに粘着剤受理層を形成したこと以外は実施例１と同様にして粘着シート用原紙を得た。
【００７０】
【表１】
2016069503.tif 000002
【００７１】
表１における各成分の詳細を以下に示す。
（１）粒子
シリカ１：水澤化学工業（株）製、ミズカシルP-758C
シリカ２：水澤化学工業（株）製、ミズカシルP-78D
シリカ３：水澤化学工業（株）製、ミズカシルP-78A
シリカ４：水澤化学工業（株）製、ミズカシルP-78F
シリカ５：（株）日本触媒製、シーホスターKE-P30
シリカ６：（株）日本触媒製、シーホスターKE-P100
炭酸カルシウム１：白石工業（株）製、Brilliant-15
酸化チタン１：堺化学工業（株）製、R21
（２）分散剤
分散剤１：花王（株）製、デモールEP
（３）結合剤
結合材１：水溶性樹脂（ポリビニルアルコール）、日本酢ビ・ポバール（株）製、ポバールJMR-10M
結合材２：水性樹脂エマルジョン（スチレン−アクリル共重合体）、日本合成化学工業（株）製、モビニール966A
【００７２】
【表２】
2016069503.tif 000003
【００７３】
＜評価＞
上記のようにして作製した粘着シート用原紙を用い、以下のようにして粘着シートを作製し、各評価を行った。
（１）糊残り評価
各実施例・比較例で作製した粘着シート用原紙の感熱層とは反対側に、テープ糊（「コクヨ（株）製、ドットライナー（弱粘着）」）を転写し粘着剤層を形成し、付箋（粘着シート）を作製した。次に、理想用紙薄口に作製した付箋を貼りつけ、さらに加圧ローラー（２ｋｇ）を３往復させ十分に貼りつけた。次に、貼りつけた付箋を剥し、理想用紙薄口上に残った粘着剤の量（糊残り）を、以下の評価基準に従い官能評価した。評価結果を表２に示す。
〜評価基準から
◎：糊残りなし
○：糊残りが僅かにあるが問題とならないレベル
×：糊残りが多い
（２）剥離強度
各実施例・比較例において、上記（１）糊残り評価と同様に付箋（粘着シート）を作製した。次いで、各付箋の粘着剤層をもう一枚の付箋の感熱層とは反対側の面と合わせ、加圧ローラ（２ｋｇ）を３往復させ貼りつけた。そのサンプルを引張り試験機（ストログラフ）で１８０°剥離試験により剥離強度を測定した。セルの上昇速度を１００ｍｍ／ｍｉｎとし、変位２０〜８０ｍｍの平均の引張り応力を剥離強度とした。測定結果を表２に示す。剥離強度が大きいほど、粘着剤層と基材との密着性が良好であると言える。
【００７４】
表２より、実施例１〜８においては、糊残り及び引張り強度のいずれにおいても良好な結果が得られたことが分かる。特に、粒子として比表面積が大きいシリカを用いた実施例５〜８においては、特に良好な結果が得られた。
これに対して、比較例１及び２においてはいずれも良好な結果とすることができなかった。
【符号の説明】
【００７５】
１０…粘着剤転写装置、
１１…筐体、１１Ａ…前筐体、１１Ｂ…後筐体、
１１ｈ…排出口、１１ｓ…ロール紙装填部、
２０…印刷手段、２１…サーマルヘッド、２２…印刷用プラテンローラ、
２３…第１パルスモータ、
３０…切断手段、３１…固定カッター、３２…可動カッター、
３３…第２パルスモータ、
４０…粘着剤転写手段、４１…粘着剤転写用プラテンローラ、
４２…第３パルスモータ、
５０…粘着剤転写具、５１…カセットケース、５１ａ…先端開口部、
５２…供給リール、５３…巻取リール、
５４…粘着剤テープ、５４Ｎ…粘着剤、５４Ｆ…フィルム、５５…転写ローラ、
５６…転写ローラ軸、５６ａ…多角形軸部、
６０…転写具移動手段、６１…基板、６１ａ…傾斜長孔、
６２…ギア、６３…中心軸、６４…第４パルスモータ、６５…偏心ピン、
６６…転写具移動台、６６ａ…上部凹部、６６ｂ…下部凹部、６６ｃ…突出片、
６７…スライダ、６８…圧縮バネ、６９…ガイドピン、７０…引張バネ、
８０…制御手段、
９０…ブレーキ機構部、９１…ブレーキ部材、９１ａ…第１平板部、９１ａ１…長孔、
９１ｂ…板バネ部、９１ｃ…第２平板部、９１ｄ…取付部、
α…待機姿勢角度、β…転写姿勢角度、θ…テープ進入角度
ＰＣ…パソコン、Ｐ…粘着シート用原紙（ロール紙）、Ｐｎ…付箋紙。
【図１】
2016069503.tif 000004